(57)【要約】【課題】  カメラボディが有するボディ側板金の保護が図られたカメラシステムを提供する。【解決手段】  レンズユニット１１０が有するレンズＧＮＤ板金１２０に、レンズユニット１１０がカメラボディに装着されたときにカメラボディ側のバリア板金に接する、ネジ１１０＿１，１１０＿２，１１０＿３それぞれに隣接した各位置に凸形状の各接点１１０＿１ａ，１１０＿２ａ，１１０＿３ａを設けるとともに、レンズＧＮＤ板金１２０の円周上の、その円周に沿って隣接するネジ１１０＿１，１１０＿２の中間位置，ネジ１１０＿２，１１０＿３の中間位置，ネジ１１０＿３，１１０＿１の中間位置に、凸形状の接点１１０＿１ｂ，１１０＿２ｂ，１１０＿３ｂを設けた。【選択図】    図２
2008233773.tif 000002
【特許請求の範囲】
【請求項１】
撮影レンズを備えたレンズユニットと、該レンズユニットが着脱自在に装着されるカメラボディとを備えたカメラシステムにおいて、
前記レンズユニットが、前記カメラボディに装着される側の背面に、１つ以上のネジでネジ止めされたレンズ側板金を有するとともに、
前記カメラボディが、前記レンズユニットが装着された状態における前記レンズ側板金と対面する位置にボディ側板金を有し、
前記レンズ側板金が、前記レンズユニットが前記カメラボディに装着されたときに前記ボディ側板金に接する、前記１つ以上のネジそれぞれに隣接した各位置に凸形状の各接点が設けられていることを特徴とするカメラシステム。
【請求項２】
前記レンズ側板金が、円周上に並んだ複数のネジでネジ止めされたものであって、該レンズ側板金が、前記ボディ側板金に接する接点を、前記複数のネジそれぞれに隣接した各位置に加え、さらに、前記円周上の、該円周に沿って隣接する２つのネジの中間の位置にも設けられていることを特徴とする請求項１記載のカメラシステム。
【請求項３】
前記レンズユニットは、前記カメラボディへの着脱にあたり、レンズ光軸の周りの回転を伴って着脱されるものであって、
前記レンズユニットが、前記レンズ側板金の前記各接点に隣接した、装着時の回転方向について該各接点を先導する各位置に、該レンズユニットが前記カメラボディに非装着な状態において該接点よりも突出した厚さの弾性体を有することを特徴とする請求項１記載のカメラシステム。
【請求項４】
前記弾性体が、装着時の回転方向前方に尖った形状を有することを特徴とする請求項３記載のカメラシステム。
【発明の詳細な説明】
【技術分野】
【０００１】
本発明は、撮影レンズを備えたレンズユニットと、そのレンズユニットが着脱自在に装着されるカメラボディとを備えたカメラシステムに関する。
【背景技術】
【０００２】
従来、銀塩カメラの分野では、撮影レンズがカメラボディに着脱自在に装着されるレンズ着脱式のカメラシステムが知られている。
【０００３】
近年、デジタルカメラの分野においても、銀塩カメラの分野と同様に、撮影レンズを備えたレンズユニットと、そのレンズユニットが着脱自在に装着されるカメラボディとを備えたカメラシステムが提案されている。例えば、撮影レンズと撮像素子とを一体化したレンズユニットの、カメラボディに装着される側の背面に複数のレンズユニット突起部を形成するとともに、カメラボディに設けたレンズマウントに上記レンズユニット突起部が係合するカメラボディ係合部を形成しておき、レンズユニット装着時には、レンズユニット突起部をカメラボディ係合部に係合させてレンズユニットを回動させることによりレンズユニット側とカメラボディ側の双方のコネクタが接続されるように構成したレンズユニット交換式のカメラシステムが提案されている。このようなカメラシステムでは、レンズユニットがカメラボディに装着されていない時には、カメラボディの、レンズユニットが装着する部分に設けられた開口部から、ごみやほこり等の異物が入らないようにする必要がある。
【０００４】
そこで、例えば、カメラボディが、そのカメラボディの、レンズユニットが装着する部分に設けられた開口部に、グランドに接続されたバリア板金を有するとともに、レンズユニットが、上記バリア板金に対面する位置に、ネジ止めされたレンズＧＮＤ板金を有するカメラシステムが提案されている（例えば、特許文献１参照）。このカメラシステムによれば、カメラボディにレンズユニットが装着されていない時にはカメラボディが有するバリア板金によって、そのカメラボディの開口部が覆われているため、その開口部からの異物の進入を防止することができる。また、このカメラシステムでは、カメラボディにレンズユニットが装着される時には、カメラボディが有するバリア板金とレンズユニットが有するレンズＧＮＤ板金とが接触し、これによりレンズユニット側のグランドとカメラボディ側のグランドとが電気的に接続される。
【０００５】
また、カメラボディが、そのカメラボディの、レンズユニットが装着する部分に設けられた開口部に、電気接点部の保護が可能なバリアを有するカメラシステムが提案されている（例えば、特許文献２参照）。
【０００６】
さらに、レンズユニットとカメラボディ間の電気的接続端子を種別ごとに複数のブロックに分離し、カメラシステムのマウント部の接続円周上の離れた位置に上記分離したブロックをそれぞれ配設したカメラシステムが提案されている（例えば、特許文献３参照）。
【０００７】
また、プレス加工したカメラボディのマウントリングにおいて、レンズユニット側のマウントとの摺動部分に潤滑油を含ませることですぐれた着脱摺動耐久性を与える技術が提案されている（例えば、特許文献４参照）。
【特許文献１】特開２００５−３１６４３７号公報
【特許文献２】特開２００５−３１６４３８号公報
【特許文献３】特開２００５−３００５６７号公報
【特許文献４】特開昭６３−１２７８３４号公報
【発明の開示】
【発明が解決しようとする課題】
【０００８】
しかし、特許文献１に提案されたカメラシステムでは、レンズユニットを回動してカメラボディに着脱するにあたり、レンズユニットが有するレンズＧＮＤ板金がネジ止めされたネジの頭部で、カメラボディが有するバリア板金が傷つけられてしまう場合がある。従って、カメラボディが有するバリア板金であるボディ側板金の保護に欠けるという問題がある。
【０００９】
また、特許文献２に開示されたカメラシステムでは、カメラボディが有するバリアで電気接点部の保護は可能であるものの、バリア自体の保護については言及されておらず、別途対応が必要である。
【００１０】
さらに、特許文献３に提案されたカメラシステムでは、当該カメラシステムのマウント部の接続部円周上における電気接続端子の保護については提案されているものの、カメラボディが有するバリア自体の保護については言及されておらず、また特許文献４には、カメラボディとレンズユニットとの間ですぐれた着脱摺動耐久性を与える技術は提案されているものの、やはりカメラボディが有するバリア自体の保護については言及されていない。
【００１１】
本発明は、上記事情に鑑み、カメラボディが有するボディ側板金の保護が図られたカメラシステムを提供することを目的とする。
【課題を解決するための手段】
【００１２】
上記目的を達成する本発明のカメラシステムは、撮影レンズを備えたレンズユニットと、そのレンズユニットが着脱自在に装着されるカメラボディとを備えたカメラシステムにおいて、
上記レンズユニットが、上記カメラボディに装着される側の背面に、１つ以上のネジでネジ止めされたレンズ側板金を有するとともに、
上記カメラボディが、上記レンズユニットが装着された状態における上記レンズ側板金と対面する位置にボディ側板金を有し、
上記レンズ側板金が、上記レンズユニットが上記カメラボディに装着されたときに上記ボディ側板金に接する、上記１つ以上のネジそれぞれに隣接した各位置に凸形状の各接点が設けられていることを特徴とする。
【００１３】
本発明のカメラシステムでは、レンズユニットが有するレンズ側板金に、そのレンズユニットがカメラボディに装着されたときにボディ側板金に接する、１つ以上のネジそれぞれに隣接した各位置に凸形状の各接点が設けられている。このため、レンズユニットをカメラボディに着脱するにあたり、そのネジに隣接した位置に設けられた凸形状の接点により、カメラボディが有するボディ側板金がネジの頭部で傷つけられてしまうということが防止される。従って、カメラボディが有するボディ側板金の保護が図られたカメラシステムを提供することができる。
【００１４】
ここで、上記レンズ側板金が、円周上に並んだ複数のネジでネジ止めされたものであって、そのレンズ側板金が、上記ボディ側板金に接する接点を、上記複数のネジそれぞれに隣接した各位置に加え、さらに、上記円周上の、その円周に沿って隣接する２つのネジの中間の位置にも設けられていることが好ましい。
【００１５】
このようにすると、複数のネジそれぞれに隣接した各位置に設けられた接点と、円周に沿って隣接する２つのネジの中間の位置にも設けられた接点とにより、ボディ側板金がネジの頭部で傷つけられてしまうということを一層防止することができ、従ってカメラボディが有するボディ側板金の保護を一層図ることができる。
【００１６】
また、上記レンズユニットは、上記カメラボディへの着脱にあたり、レンズ光軸の周りの回転を伴って着脱されるものであって、
上記レンズユニットが、上記レンズ側板金の上記各接点に隣接した、装着時の回転方向についてその各接点を先導する各位置に、そのレンズユニットが上記カメラボディに非装着な状態においてその接点よりも突出した厚さの弾性体を有することも好ましい態様である。
【００１７】
このようにすると、弾性体がカメラ側板金に摺動するため、カメラ側板金に付着している異物を取り除くことができる。
【００１８】
さらに、上記弾性体が、装着時の回転方向前方に尖った形状を有することも好ましい。
【００１９】
このようにすると、尖った形状を有する弾性体が、装着時の回転方向についてカメラ側板金に摺動するため、カメラ側板金に付着している異物を確実に摺動軌跡上から取り除くことができる。
【発明の効果】
【００２０】
本発明によれば、カメラボディが有するボディ側板金の保護が図られたカメラシステムを提供することができる。
【発明を実施するための最良の形態】
【００２１】
以下、図面を参照して本発明の実施の形態を説明する。
【００２２】
図１は、本発明のカメラシステムの一実施形態の外観斜視図、図２は、図１に示すカメラシステムに備えられたレンズユニットの、カメラボディに装着される側から見た斜視図である。
【００２３】
図１に示すカメラシステム１００には、撮影レンズ１１１を備えたレンズユニット１１０と、そのレンズユニット１１０が着脱自在に装着されるカメラボディ１５０とが備えられている。
【００２４】
レンズユニット１１０は、図２に示すように、カメラボディ１５０に装着される側の背面に、円周上に並んだ３つのネジ１１０＿１，１１０＿２，１１０＿３でネジ止めされたレンズＧＮＤ板金１２０（本発明にいうレンズ側板金の一例に相当）を有する。このレンズＧＮＤ板金１２０は、レンズユニット１１０の電気的なグランドに接続されている。
【００２５】
一方、カメラボディ１５０は、図１に示すように、レンズユニット１１０が装着された状態におけるレンズＧＮＤ板金１２０と対面する位置にバリア板金１３０（本発明にいうボディ側板金の一例に相当）を有する。
【００２６】
また、図２に示すように、レンズユニット１１０には、このレンズユニット１１０がカメラボディ１５０に装着されたときにバリア板金１３０に接する、３つのネジ１１０＿１，１１０＿２，１１０＿３それぞれに隣接した各位置に凸形状の各接点１１０＿１ａ，１１０＿２ａ，１１０＿３ａが設けられている。詳細には、各接点１１０＿１ａ，１１０＿２ａ，１１０＿３ａは、レンズＧＮＤ板金１２０の一部が、カメラボディ１５０に装着される方向に向けて突出するように形成されている。さらに、レンズユニット１１０には、ネジ１１０＿１，１１０＿２の中間位置，ネジ１１０＿２，１１０＿３の中間位置，ネジ１１０＿３，１１０＿１の中間位置に、凸形状の接点１１０＿１ｂ，１１０＿２ｂ，１１０＿３ｂが設けられている。これらの接点１１０＿１ｂ，１１０＿２ｂ，１１０＿３ｂも、レンズＧＮＤ板金１２０の一部が、カメラボディ１５０に装着される方向に向けて突出するように形成されている。
【００２７】
また、このレンズユニット１１０には、カメラボディ１５０との間で通信を行なうためのレンズユニット側電気接点１２１を備えたレンズユニット突起部１０１が３つ設けられている。
【００２８】
一方、カメラボディ１５０は、図１に示すように、前述したバリア板金１３０と、レンズユニット１１０が着脱自在に装着される凹形状のマウント部１５１と、そのマウント部１５１の内側に設けられ上記３つのレンズユニット突起部１０１と係合する３つのカメラボディ係合部１０２と、マウント部１５１内部に設けられレンズユニット１１０との間で通信を行なうための本体側電気接点（図示せず）とを有する。バリア板金１３０は、カメラボディ１５０の電気的なグランドに接続されており、マウント部１５１の開口を塞ぐとともに、レンズユニット１１０の装着時にレンズユニット１１０のレンズＧＮＤ板金１２０に押されてマウント部１５１の凹部奥に後退する。
【００２９】
図１に示すカメラシステム１００は、レンズユニット１１０の、カメラボディ１５０に装着される側の背面に設けられた３つのレンズユニット突起部１０１を、カメラボディ１５０側に設けられた３つのカメラボディ係合部１０２に係合させて、レンズユニット１１０をカメラボディ１５０に装着するようになっている。カメラボディ１５０にレンズユニット１１０が装着されたときに、カメラボディ１５０側のバリア板金１３０とレンズユニット１１０側のレンズＧＮＤ板金１２０との接触により、レンズユニット１１０およびカメラボディ１５０双方のグランドどうしが電気的に接続されて同電位となる。この状態でレンズユニット１１０を所定の方向に回転することにより、レンズユニット１１０側のレンズユニット突起部１０１とマウント部１５１の内側に設けられたカメラボディ係合部１０２とが係合し、それとともにレンズユニット１１０側の電気接点とカメラボディ１５０側の電気接点とが電気的に接続されてレンズユニット１１０とカメラボディ１５０との装着が完了する。
【００３０】
本実施形態のカメラシステム１００には、レンズユニット１１０が有するレンズＧＮＤ板金１２０に、そのレンズユニット１１０がカメラボディ１５０に装着されたときにカメラボディ１５０側のバリア板金１３０に接する、３つのネジ１１０＿１，１１０＿２，１１０＿３それぞれに隣接した各位置に凸形状の各接点１１０＿１ａ，１１０＿２ａ，１１０＿３ａが設けられている。このため、レンズユニット１１０を回動してカメラボディ１５０に着脱するにあたり、ネジ１１０＿１，１１０＿２，１１０＿３に隣接した位置に設けられた凸形状の接点１１０＿１ａ，１１０＿２ａ，１１０＿３ａにより、カメラボディ１５０が有するバリア板金１５０がネジ１１０＿１，１１０＿２，１１０＿３の頭部で傷つけられてしまうということが防止される。従って、カメラボディ１５０が有するバリア板金１３０の保護が図られたカメラシステム１００を提供することができる。
【００３１】
さらに、本実施形態のカメラシステム１００には、レンズＧＮＤ板金１２０が、上記凸形状の接点１１０＿１ａ，１１０＿２ａ，１１０＿３ａに加えて、レンズＧＮＤ板金１２０の円周上の、その円周に沿って隣接するネジ１１０＿１，１１０＿２の中間位置，ネジ１１０＿２，１１０＿３の中間位置，ネジ１１０＿３，１１０＿１の中間位置に、凸形状の接点１１０＿１ｂ，１１０＿２ｂ，１１０＿３ｂが設けられている。このため、３つのネジ１１０＿１，１１０＿２，１１０＿３それぞれに隣接した各位置に設けられた凸形状の各接点１１０＿１ａ，１１０＿２ａ，１１０＿３ａと、円周に沿って隣接する各２つのネジ１１０＿１，１１０＿２；１１０＿２，１１０＿３；１１０＿３，１１０＿１の中間の位置にも設けられた凸形状の各接点１１０＿１ｂ，１１０＿２ｂ，１１０＿３ｂとにより、バリア板金１３０がネジ１１０＿１，１１０＿２，１１０＿３の頭部で傷つけられてしまうということを一層防止することができる。従って、カメラボディ１５０が有するバリア板金１３０の保護を十分に図ることができる。
【００３２】
図３は、図１に示すカメラシステムのブロック図である。
【００３３】
図３に示すレンズユニット１１０には、前述したレンズＧＮＤ板金１２０およびレンズユニット側電気接点１２１のほかに、カメラ操作者からの操作指示を受けるレンズユニット操作部１１８と、自動露出制御／自動焦点制御などを行なうＡＥ／ＡＦ制御部１１６、レンズユニット１１０内の各部の動作を制御するサブＣＰＵ（Ｃｅｎｔｒａｌ  Ｐｒｏｃｅｓｓｉｎｇ  Ｕｎｉｔ）１１７と、レンズユニット側電気接点１２１を介してカメラボディ１５０から受け取ったＤＣ電圧を、レンズユニット１１０内の各部が必要とするＤＣ電圧に変換して供給するＤＣ／ＤＣコンバータ１１９とが備えられている。また、図１にも示す撮影レンズ１１１と、撮像素子１１２と、アナログ処理部１１３と、Ａ／Ｄ変換器１１４と、パラレル／シリアル変換伝送インターフェース（Ｉ／Ｆ）１１５とが備えられている。
【００３４】
撮影レンズ１１１で撮影され、撮像素子１１２から出力された画像信号（ＣＣＤ＿ＲＡＷ）はアナログ処理部１１３でゲイン調整、ノイズ低減などの処理が行なわれた後、Ａ／Ｄ（Ａｎａｌｏｇ／Ｄｉｇｉｔａｌ）変換器１１４でデジタル信号に変換され、パラレル／シリアル変換伝送インターフェース１１５によりシリアル信号に変換された後、レンズユニット側電気接点１２１を介してカメラボディ１５０に送信される。尚、撮像素子１１２としては、ＣＣＤ（Ｃｈａｒｇｅ  Ｃｏｕｐｌｅｄ  Ｄｅｖｉｃｅｓ）、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などを用いることができる。
【００３５】
一方、カメラボディ１５０には、本体側電気接点１７０，マウント部１５１，バリア板金１３０のほかに、カメラ操作者からの操作指示を受けるカメラボディ操作部１５３と、カメラボディ１５０全体の制御を司るＣＰＵ１５４と、レンズユニット１１０から受け取ったＣＣＤ＿ＲＡＷ信号のホワイトバランス補正やγ補正を行なったりＹＣｂＣｒ信号（輝度／色相差信号）に変換したりする信号処理ブロック１６２と、ＣＣＤ＿ＲＡＷ信号，ＹＣｂＣｒ信号，圧縮後のデータなどを一時保存するメモリバッファ１６１と、メモリバッファ１６１を制御するメモリコントローラ１５６とが備えられている。
【００３６】
また、カメラボディ１５０には、レンズユニット１１０との間の送受信信号のパラレル／シリアル変換処理を行なうパラレル／シリアル変換伝送インターフェース（Ｉ／Ｆ）１５５と、ＹＣｂＣｒ信号を圧縮／伸張する圧縮伸張ブロック１６３と、メモリバッファ１６１に保存されたデジタル信号をアナログ信号に変換するＤ／Ａ変換器１５７と、Ｄ／Ａ変換器１５７でアナログ信号に変換された画像情報を表示する、例えばＬＣＤ（Ｌｉｑｕｉｄ  Ｃｒｙｓｔａｌ  Ｄｉｓｐｌａｙ ）などからなる表示部１５８とが備えられている。
【００３７】
さらに、カメラボディ１５０には、圧縮された画像情報を、外部の、例えばメモリカードなどの記録媒体１８０に記録するためのメディアインターフェース（Ｉ／Ｆ）１５９およびコネクタ１６０と、カメラボディ１５０の各部に必要な電源を供給するとともに本体側電気接点１７０を介してレンズユニット１１０側に必要な電源を供給する電源部１６４とが備えられている。
【００３８】
尚、図３は、本発明のカメラシステムの一実施形態を示したものであり、本発明のカメラシステムは、上記実施形態のみに限定されるものではなく、例えば、撮影レンズのバリエーション、ＣＣＤの画素数、動画撮影用／静止画撮影用、手振れ補正などの撮影補助機構の有無、立体映像撮影用の複数のＣＣＤおよびレンズを備えたカメラシステムなど、用途に応じて種々の形態のカメラシステムとして構成することができる。
【００３９】
次に、レンズユニット１１０をカメラボディ１５０に装着する前および装着した後の詳細構造について、図４，図５を参照して説明する。
【００４０】
図４は、本実施形態のカメラシステムの、レンズユニット装着前の断面図である。
【００４１】
尚、ここでは、図面を簡略化するため、レンズユニット突起部１０１およびカメラボディ係合部１０２は、図示省略している。
【００４２】
図４には、カメラボディ１５０の上に、装着前のレンズユニット１１０が載置され、レンズユニット１１０が有するレンズＧＮＤ板金１２０が、カメラボディ１５０が有するバリア板金１３０に接触している状態が示されている。この段階では、レンズユニット１１０側のレンズユニット突起部１０１（図１参照）とカメラボディ１５０側のカメラボディ係合部１０２（図１参照）は、まだ互いに係合されてはおらず、レンズユニット側電気接点１２１と本体側電気接点１７０とは互いに離れた位置にある。
【００４３】
カメラボディ１５０には、レンズユニット１１０が着脱自在に装着される凹形状のマウント部１５１が備えられており、マウント部１５１内部には、本体側電気接点１７０と、バリア板金１３０とが備えられている。本体側電気接点１７０は、カメラボディ１５０内に設けられた、ＣＰＵ１５４（図３参照）などの各素子が実装された回路基板１７３に接続されており、レンズユニット側電気接点１２１と接続されることにより、カメラボディ１５０とレンズユニット１１０との間の送受信が可能となる。
【００４４】
バリア板金１３０は、マウント部１５１の開口を塞ぐとともに、レンズユニット１１０の装着時にレンズユニット１１０に押されてマウント部１５１の凹部奥に後退するものであり、このバリア板金１３０はバネ１７１を介して、カメラボディ１５０内の回路基板１７３の電気的なグランドである導体１７４と接続されている。このバリア板金１３０は、カメラボディ１５０内部へのゴミの進入を防いだり、本体側電気接点１７０を静電気から保護したりするためのものであり、アルミニウムなどの導体で形成されている。
【００４５】
一方、レンズユニット１１０には、撮影レンズ１１１などのほかに、この図４に示すように、レンズユニット側電気接点１２１およびレンズＧＮＤ板金１２０が備えられている。
【００４６】
レンズユニット側電気接点１２１は、レンズユニット１１０内に設けられた、サブＣＰＵ１１７（図３参照）などの各素子が実装された回路基板１２３に接続されている。このレンズユニット側電気接点１２１は、レンズユニット１１０の装着時における、カメラボディ１５０から見てレンズＧＮＤ板金１２０よりもカメラボディ１５０から離れた位置に備えられており、装着時においてレンズＧＮＤ板金１２０がバリア板金１３０をマウント部１５１の凹部奥に向けて押圧を開始した後に本体側電気接点１７０と電気的に接続される。
【００４７】
レンズＧＮＤ板金１２０は、レンズユニット１１０内の回路基板１２３の電気的なグランドである導体１２４に導電部材１２５で接続されており、装着時にカメラボディ１５０のバリア板金１３０に当接してレンズユニット１１０とカメラボディ１５０との間のグランドどうしを接続する。
【００４８】
尚、上記バリア板金１３０は、バネ１７１による付勢を受けてマウント部１５１の開口を塞ぐようになっており、レンズユニット１１０がカメラボディ１５０に装着される時にはレンズＧＮＤ板金１２０に押されてマウント部１５１の凹部奥に後退するとともにレンズユニット１１０がカメラボディ１５０から取り外された時にはバネ１７１の付勢によりマウント部１５１の開口を塞ぐ位置に戻るようになっている。バネ１７１の一端はバリア板金１３０に取り付けられており、他端はカメラボディ１５０に内蔵されている各種の素子が組み込まれた回路基板１７３のグランドである導体１７４に取り付けられている。このように、バリア板金１３０にバネ１７１を取り付けただけの簡単な構成によって、レンズユニット１１０の取り外し後のカメラボディ１５０を、ゴミの進入や静電気の放電による破壊および誤動作などから保護することができる。
【００４９】
図５は、本実施形態のカメラシステムの、レンズユニット装着後の断面図である。
【００５０】
図４に示した状態から、レンズユニット１１０をカメラボディ１５０に装着するには、レンズユニット１１０が有するレンズＧＮＤ板金１２０により、カメラボディ１５０が有するバリア板金１３０をマウント部１５１の凹部奥に押圧し、その後レンズユニット１１０を所定の方向に回転させて、レンズユニット１１０側のレンズユニット突起部１０１とカメラボディ１５０側のカメラボディ係合部１０２とを互いに係合させることにより、図５に示した装着状態とすることができる。
【００５１】
本実施形態のカメラシステム１００では、マウント部１５１の開口は、レンズユニット１１０が装着されていない時にはバリア板金１３０により塞がれているが、レンズユニット１１０が装着される時にはバリア板金１３０はレンズユニット１１０のレンズＧＮＤ板金１２０に押されてマウント部１５１の凹部奥に後退する。この時に、レンズＧＮＤ板金１２０に接続されているレンズユニット１１０側のグランドである導体１２４と、バリア板金１３０に接続されているカメラボディ１５０側のグランドである導体１７４とがバネ１７１を介して互いに接続され、レンズユニット１１０側のグランドとカメラボディ１５０側のグランドとが同電位になる。
【００５２】
こうして、レンズユニット１１０側のグランドとカメラボディ１５０側のグランドとが同電位になった状態で、レンズユニット１１０がマウント部１５１の凹部奥まで挿入され、レンズユニット１１０がレンズ光軸を中心に所定の方向に回転されることにより前述のレンズユニット突起部１０１とカメラボディ係合部１０２とが係合され、それとともに、本体側電気接点１７０とレンズユニット側電気接点１２１とが接続される。レンズユニット側電気接点１２１および本体側電気接点１７０は、それぞれ、電源、グランド、ＣＣＤ＿ＲＡＷ信号、ＡＥ／ＡＦ用制御信号、レンズユニット制御信号などの複数の電気接点から構成されており、上記のように、レンズユニット側電気接点１２１と本体側電気接点１７０とが接続されることによってレンズユニット１１０とカメラボディ１５０との間の電源の授受および各種信号の送受信が可能となる。
【００５３】
また、本実施形態のカメラシステム１００では、カメラボディ１５０からレンズユニット１１０を取り外す時において、レンズユニット側電気接点１２１および本体側電気接点１７０は、レンズＧＮＤ板金１２０とバリア板金１３０との接触が継続されている段階で電気的に相互に離れる位置に配備されている。そのため、カメラボディ１５０からレンズユニット１１０を取り外す時には、レンズユニット１１０をレンズ光軸を中心に装着時とは逆の方向に回転することにより、前述のレンズユニット突起部１０１とカメラボディ係合部１０２との係合が解除されるとともに本体側電気接点１７０と撮影レンズユニット側電気接点１２１との接続が解除されるが、この双方の電気接点の接続の解除が完了した時点においても、レンズＧＮＤ板金１２０とバリア板金１３０との接触が継続されており、双方の電気接点の接続の解除が完了した後にレンズユニット１１０のグランドとカメラボディ１５０のグランドとの接続が解除される。従って、レンズユニット側電気接点１２１、あるいは本体側電気接点１７０への帯電電荷の回り込みや静電気の放電等が回避され、レンズユニット１１０やカメラボディ１５０に備えられた回路素子が誤動作したり破壊したりすることが防止される。
【００５４】
図６は、比較例としてのレンズユニットの、カメラボディに装着される側から見た斜視図である。
【００５５】
図６に示すレンズユニット１１１０は、図２に示すレンズユニット１１０と比較し、３つの接点１１０＿１ａ，１１０＿２ａ，１１０＿３ａが削除されている。即ち、比較例としてのレンズユニット１１１０には、ネジ１１０＿１，１１０＿２の中間位置，ネジ１１０＿２，１１０＿３の中間位置，ネジ１１０＿３，１１０＿１の中間位置にのみ、凸形状の接点１１０＿１ｂ，１１０＿２ｂ，１１０＿３ｂが設けられている。従って、各接点１１０＿１ｂ，１１０＿２ｂ，１１０＿３ｂは、各ネジ１１０＿１，１１０＿２，１１０＿３に対して遠い位置に設けられていることとなり、このためレンズユニット１１１０を所定の方向に回転させてカメラボディ１５０に装着したり、あるいはレンズユニット１１１０を上記所定の方向とは逆の方向に回転させてカメラボディ１５０から離脱したりする時点で、そのカメラボディ１５０が有するバリア板金１３０が、これらのネジ１１０＿１，１１０＿２，１１０＿３の頭部で傷つけられてしまう場合がある。
【００５６】
図７は、図６に示すレンズユニットの着脱により、カメラボディが有するバリア板金が傷つけられた状態を示す図である。
【００５７】
図７には、カメラボディ１５０が有するバリア板金１３０が示されている。このバリア板金１３０は、図６に示すレンズユニット１１１０の着脱により、そのレンズユニット１１１０側のネジ１１０＿１，１１０＿２，１１０＿３の頭部で傷つけられた、それらネジ１１０＿１，１１０＿２，１１０＿３の回転による傷部１３０ａ，１３０ｂ，１３０ｃを有する。
【００５８】
図８は、本発明にいうレンズユニットの一例である図２に示すレンズユニットとは異なる他の一例であるレンズユニットの、カメラボディに装着される側から見た斜視図および断面図である。
【００５９】
図８（Ａ）には、レンズユニット２１０の、カメラボディ１５０に装着される側から見た斜視図が示されている。また、図８（Ｂ）には、図８（Ａ）に示すレンズユニット２１０の、Ａ―Ａ’断面図が示されている。
【００６０】
図８（Ａ），図８（Ｂ）に示すレンズユニット２１０は、上述したカメラシステム１００において、図２に示すレンズユニット１１０に代えてカメラボディ１５０に着脱自在に装着される。具体的には、このレンズユニット２１０は、カメラボディ１５０への着脱にあたり、レンズ光軸の周りの回転を伴って着脱される。詳細には、このレンズユニット２１０は、図８（Ａ）に示す着方向Ｘの回転を伴ってカメラボディ１５０へ装着される。また、着方向Ｘとは反対方向の回転を伴ってカメラボディ１５０から離脱される。
【００６１】
このレンズユニット２１０は、カメラボディ１５０に装着される側の背面に、円周上に並んだ３つのネジ２１０＿１，２１０＿２，２１０＿３でネジ止めされたレンズＧＮＤ板金２２０（本発明にいうレンズ側板金の他の一例に相当）を有する。
【００６２】
また、レンズユニット２１０には、このレンズユニット２１０がカメラボディ１５０に装着されたときにバリア板金１３０に接する、３つのネジ２１０＿１，２１０＿２，２１０＿３それぞれに隣接した各位置に凸形状の各接点２１０＿１ａ，２１０＿２ａ，２１０＿３ａが設けられている。具体的には、接点２１０＿１ａ，２１０＿２ａ，２１０＿３ａは、図８（Ｂ）に示すように、レンズＧＮＤ板金２２０の一部が、カメラボディ１５０に装着される方向に向けて突出するように形成されている。さらに、レンズユニット２１０には、カメラボディ１５０との間で通信を行なうためのレンズユニット側電気接点２２１を備えたレンズユニット突起部２０１が３つ設けられている。
【００６３】
また、このレンズユニット２１０は、レンズＧＮＤ板金２２０の各接点２１０＿１ａ，２１０＿２ａ，２１０＿３ａに隣接した、装着時の回転方向Ｘについて各接点２１０＿１ａ，２１０＿２ａ，２１０＿３ａを先導する各位置に、レンズユニット２１０がカメラボディ１５０に非装着な状態において各接点２１０＿１ａ，２１０＿２ａ，２１０＿３ａよりも突出した厚さであって半球状の形状を有する各弾性体２１０＿１ｂ，２１０＿２ｂ，２１０＿３ｂを有する。
【００６４】
このレンズユニット２１０には、レンズＧＮＤ板金２２０に、そのレンズユニット２１０がカメラボディ１５０に装着されたときにカメラボディ１５０側のバリア板金１３０に接する、３つのネジ２１０＿１，２１０＿２，２１０＿３それぞれに隣接した各位置に凸形状の各接点２１０＿１ａ，２１０＿２ａ，２１０＿３ａが設けられている。このため、レンズユニット２１０をカメラボディ１５０に着脱するにあたり、各ネジ２１０＿１，２１０＿２，２１０＿３に隣接した各位置に設けられた凸形状の各接点２１０＿１ａ，２１０＿２ａ，２１０＿３ａにより、カメラボディ１５０が有するバリア板金１３０がネジ２１０＿１，２１０＿２，２１０＿３の頭部で傷つけられてしまうということが防止される。
【００６５】
また、このレンズユニット２１０では、各弾性体２１０＿１ｂ，２１０＿２ｂ，２１０＿３ｂがバリア板金１３０の表面を摺動するため、バリア板金１３０に付着している異物を取り除くことができる。
【００６６】
図９は、本発明にいうレンズユニットの、図２，図８に示すレンズユニットとは異なる更なる他の一例であるレンズユニットの、カメラボディに装着される側から見た正面図である。
【００６７】
図９に示すレンズユニット３１０は、図８に示すレンズユニット２１０と比較し、レンズＧＮＤ板金２２０に、装着時の回転方向Ｘの前方に尖った形状を有する弾性体３１０＿１ｂ，３１０＿２ｂ，３１０＿３ｂが備えられている。
【００６８】
このようなレンズユニット３１０を備えると、尖った形状を有する弾性体３１０＿１ｂ，３１０＿２ｂ，３１０＿３ｂが、装着時の回転方向Ｘについてカメラボディ１５０が有するバリア板金１３０に摺動するため、バリア板金１３０に付着している異物を確実に摺動軌跡上から取り除くことができる。
【００６９】
尚、上述した実施形態では、レンズ側板金（レンズＧＮＤ板金）が、レンズユニットがカメラボディに装着されたときにボディ側板金（バリア板金）に接する、３つのネジそれぞれに隣接した各位置に凸形状の各接点を設けた例で説明したが、これに限られるものではなく、本発明は、レンズ側板金が、レンズユニットがカメラボディに装着されたときにボディ側板金に接する、１つ以上のネジそれぞれに隣接した各位置に凸形状の各接点が設けられていればよい。
【図面の簡単な説明】
【００７０】
【図１】本発明のカメラシステムの一実施形態の外観斜視図である。
【図２】図１に示すカメラシステムに備えられたレンズユニットの、カメラボディに装着される側から見た斜視図である。
【図３】図１に示すカメラシステムのブロック図である。
【図４】本実施形態のカメラシステムの、レンズユニット装着前の断面図である。
【図５】本実施形態のカメラシステムの、レンズユニット装着後の断面図である。
【図６】比較例としてのレンズユニットの、カメラボディに装着される側から見た斜視図である。
【図７】図６に示すレンズユニットの着脱により、カメラボディが有するバリア板金が傷つけられた状態を示す図である。
【図８】本発明にいうレンズユニットの一例である図２に示すレンズユニットとは異なる他の一例であるレンズユニットの、カメラボディに装着される側から見た斜視図および断面図である。
【図９】本発明にいうレンズユニットの、図２，図８に示すレンズユニットとは異なる更なる他の一例であるレンズユニットの、カメラボディに装着される側から見た正面図である。
【符号の説明】
【００７１】
１００    カメラシステム
１０１，２０１    レンズユニット突起部
１０２    カメラボディ係合部
１１０，２１０，３１０，１１１０    レンズユニット
１１０＿１，１１０＿２，１１０＿３，２１０＿１，２１０＿２，２１０＿３    ネジ
１１０＿１ａ，１１０＿２ａ，１１０＿３ａ，１１０＿１ｂ，１１０＿２ｂ，１１０＿３ｂ，２１０＿１ａ，２１０＿２ａ，２１０＿３ａ    接点
１１１    撮影レンズ
１１２    撮像素子
１１３    アナログ処理部
１１４    Ａ／Ｄ変換器
１１５    パラレル／シリアル変換伝送インターフェース
１１６    ＡＥ／ＡＦ制御部
１１７    サブＣＰＵ
１１８    レンズユニット操作部
１１９    ＤＣ／ＤＣコンバータ
１２０，２２０    レンズＧＮＤ板金
１２１，２２１    レンズユニット側電気接点
１２３    回路基板
１２４    導体
１２５    導電部材
１３０    バリア板金
１３０ａ，１３０ｂ，１３０ｃ    傷部
１５０    カメラボディ
１５１    マウント部
１５３    カメラボディ操作部
１５４    ＣＰＵ
１５５    パラレル／シリアル変換伝送インターフェース
１５６    メモリコントローラ
１５７    Ｄ／Ａ変換器
１５８    表示部
１５９    メディアインターフェース
１６０    コネクタ
１６１    メモリバッファ
１６２    信号処理ブロック
１６３    圧縮伸張ブロック
１６４    電源部
１７０    本体側電気接点
１７１    バネ
１７３    回路基板
１７４    導体
１８０    記録媒体
２１０＿１ｂ，２１０＿２ｂ，２１０＿３ｂ，３１０＿１ｂ，３１０＿２ｂ，３１０＿３ｂ    弾性体
【図１】
2008233773.tif 000003
【図２】
2008233773.tif 000004
【図３】
2008233773.tif 000005
【図４】
2008233773.tif 000006
【図５】
2008233773.tif 000007
【図６】
2008233773.tif 000008
【図７】
2008233773.tif 000009
【図８】
2008233773.tif 000010
【図９】
2008233773.tif 000011